(57)【要約】【課題】反射光に起因したコントラストの低下と光利用効率の低下とを抑制する。【解決手段】表示部１２には、発光層５５と光反射層５２とを含む複数の画素Ｐが面状に配列される。遮光層６２には各画素Ｐに対応した開口部６２２が形成される。駆動回路２０は、表示部１２のうち第１領域Ａ1内の各画素Ｐを駆動することで動画像ＧDを表示させるとともに、第１領域Ａ1とは相違する第２領域Ａ2内の各画素Ｐを駆動することで静止画像ＧSを表示させる。第１領域Ａ1内の各画素Ｐの開口部６２２は、第２領域Ａ2内の各画素Ｐの開口部６２２よりも小面積である。【選択図】図１
2008170479.tif 000002
【特許請求の範囲】
【請求項１】
電気光学層と光反射層とを各々が含む複数の画素が配列された表示部であって、前記電気光学層に対して前記光反射層とは反対側に光を出射する光出射領域が画素ごとに画定された表示部と、
前記表示部のうち第１領域内の各画素を駆動することで第１画像を表示させるとともに前記第１領域とは相違する第２領域内の各画素を駆動することで前記第１画像よりも長時間にわたって第２画像を表示させる駆動回路とを具備し、
前記第１領域内の各画素と前記第２領域内の各画素とでは前記光出射領域の面積が相違する
ことを特徴とする電気光学装置。
【請求項２】
前記第１領域内の各画素の光出射領域は前記第２領域内の各画素の光出射領域よりも面積が小さい
請求項１に記載の電気光学装置。
【請求項３】
前記各画素に対応する開口部が形成された遮光層を具備し、
前記光出射領域は、前記開口部の内側の領域として画定される
請求項１または請求項２に記載の電気光学装置。
【請求項４】
前記複数の画素は、第１表示色に対応した波長の光を出射する第１画素と、前記第１表示色とは相違する第２表示色に対応した波長の光を出射する第２画素とを含み、
前記第１領域および前記第２領域の少なくとも一方において、前記第１画素と前記第２画素とでは前記光出射領域の面積が相違する
請求項１から請求項３の何れかに記載の電気光学装置。
【請求項５】
前記第１領域と前記第２領域とでは、前記電気光学層のうち前記複数の画素の配列面に垂直な方向からみた面積が相違する
請求項１から請求項４の何れかに記載の電気光学装置。
【請求項６】
請求項１から請求項５の何れかに記載の電気光学装置を具備する電子機器。
【発明の詳細な説明】
【技術分野】
【０００１】
本発明は、有機ＥＬ（Electroluminescence）材料で形成された発光層など各種の電気光学層を画素に利用して画像を表示する技術に関する。
【背景技術】
【０００２】
電気光学層の背面側に反射層が形成された表示装置においては、太陽光や照明光などの外光が反射層にて反射することで画像のコントラストが低下するという問題がある。この問題を解決するために、例えば特許文献１には、電気光学層を挟んで反射層とは反対側（以下「光出射側」という）に円偏光板を配置した構成が開示されている。また、特許文献２には、電気光学層の光出射側に配置された遮光層の開口部の開口率を５％以上かつ２０％以下とした構成が開示されている。
【特許文献１】特開２００２−７５６５９号公報
【特許文献２】特開２００４−１０３５１９号公報
【発明の開示】
【発明が解決しようとする課題】
【０００３】
しかし、特許文献１や特許文献２の構成においては、電気光学層の光出射側に円偏光板や低開口率の遮光層が配置されるから、電気光学層からの出射光のうち実際に観察者に知覚される光量の割合（以下「光利用効率」という）が低下する。したがって、画像の明度が低下するという問題がある。電気光学層に供給される電気エネルギを増加させることで画像の明度を確保することも可能ではあるが、特に有機ＥＬ材料で形成された発光層の場合には電気エネルギの増加によって電気光学層の劣化が進行する（短寿命化）という問題がある。以上の事情に鑑みて、本発明は、反射光に起因したコントラストの低下と光利用効率の低下とを抑制するという課題の解決を目的としている。
【課題を解決するための手段】
【０００４】
本発明に係る電気光学装置は、電気光学層と光反射層とを各々が含む複数の画素が配列された表示部であって、電気光学層に対して光反射層とは反対側に光を出射する光出射領域が画素ごとに画定された表示部と、表示部のうち第１領域内の各画素を駆動することで第１画像を表示させるとともに第１領域とは相違する第２領域内の各画素を駆動することで第１画像よりも長時間にわたって第２画像を表示させる駆動回路とを具備し、第１領域内の各画素と第２領域内の各画素とでは光出射領域の面積が相違する。なお、電気光学層とは、電流の供給や電圧（電界）の印加によって発光強度や透過率が変化する層状の部分を意味する。例えば、有機ＥＬ材料で形成された発光層や基板間に封止された液晶層を電気光学層として例示することができる。
【０００５】
以上の構成によれば、第１領域と第２領域とで光出射領域の面積が相違する。したがって、例えば第１領域内の各光出射領域を第２領域内の各光出射領域よりも小面積とすれば、第２領域における光利用効率の低下を抑制しながら、第２画像のコントラストを高い水準に維持することが可能である。また、第２領域内の各光出射領域を第１領域内の各光出射領域よりも小面積とすれば、第１領域における光利用効率の低下を抑制しながら、第１画像のコントラストを高い水準に維持することが可能である。もっとも、第１画像が表示される時間が第２画像よりも短いことを考慮すると、第１領域内の各光出射領域を第２領域内の各光出射領域よりも小面積とした構成が好適である。
【０００６】
第１画像の典型例は動画像であり、第２画像の典型例は静止画像である。もっとも、静止画像とは言っても、態様が完全に固定された画像（経時的に変化しない画像）に加えて、動画像よりも経時的な変化が少ない画像を含む概念である。例えば、所定の計測値が表示部に表示される構成においては、目盛を示す画像が静止画像として第２領域に表示され、計測値を目盛上に指し示す指針の画像が動画像として第１領域に表示される。
【０００７】
本発明の好適な態様において、各画素に対応する開口部が形成された遮光層を具備し、光出射領域は、開口部の内側の領域として画定される。本態様によれば、各画素の間隙が遮光層によって遮光されることでコントラストが向上するとともに、各開口部の面積を高精度に制御することが可能であるという利点がある。
【０００８】
本発明の好適な態様において、複数の画素は、第１表示色に対応した波長の光を出射する第１画素と、第１表示色とは相違する第２表示色に対応した波長の光を出射する第２画素とを含み、第１領域および第２領域の少なくとも一方において、第１画素と第２画素とでは光出射領域の面積が相違する。例えば、第１画素における外光反射率が第２画素における外光反射率よりも高い場合、第１画素の光出射領域は第２画素の光出射領域よりも小面積とされる。以上の態様によれば、外光の反射光に起因したコントラストの低下と光利用効率の低下とを抑制するという所期の効果が特に顕著となる。なお、本態様の具体例は第２実施形態として後述される。
【０００９】
本発明の好適な態様において、第１領域と第２領域とでは電気光学層の面積（すなわち、複数の画素の配列面に垂直な方向からみた面積）が相違する。例えば、第１領域内の各光出射領域が第２領域内の各光出射領域と比較して小面積とされた構成において、第１領域における電気光学層は第２領域における電気光学層と比較して小面積とされる。以上の構成によれば、電気光学層からの出射光のうち光出射領域以外に到達する成分が低減される。すなわち、光利用効率の向上が可能である。
【００１０】
本発明に係る電気光学装置は各種の電子機器に利用される。本発明に係る電子機器の典型例は、電気光学装置を表示装置として利用した機器である。本発明が適用される電子機器としては、パーソナルコンピュータや携帯電話機などがある。
【発明を実施するための最良の形態】
【００１１】
＜Ａ：第１実施形態＞
図１は、本発明の第１実施形態に係る電気光学装置の電気的な構成を示すブロック図である。図２は、電気光学装置の外観を示す正面図および側面図である。電気光学装置１００は、自動車などの移動体に設置されて様々な情報（例えば移動体の速度や回転数）を表示するインストルメントパネル（車載計器）として利用される。
【００１２】
電気光学装置１００は、表示パネル１０と駆動回路２０と制御回路基板３０とを具備する。表示パネル１０は、複数の画素Ｐが配列された表示部１２を含む。図１に示すように、表示部１２には、相互に直交する方向に延在する複数の走査線１４と複数のデータ線１６とが形成される。各画素Ｐは、走査線１４とデータ線１６との各交差に対応した位置に配置される。したがって、複数の画素Ｐは表示部１２内に面状（マトリクス状）に配列する。画素Ｐは、電気エネルギの付与によって発光する電気光学素子Ｅを含む。本発明の電気光学素子Ｅは、有機ＥＬ材料の発光層を含む有機発光ダイオード素子である。
【００１３】
図２に示すように、表示パネル１０は、相互に対向した状態で接合された第１基体５０と第２基体６０とを具備する。駆動回路２０は、走査線駆動回路２２とデータ線駆動回路２４とを含む。走査線駆動回路２２は、第１基体５０に実装されたＩＣ（Integrated Circuit）チップである。第１基体５０にはフレキシブル基板２６が接合される。データ線駆動回路２４は、フレキシブル基板２６に実装されたＩＣチップである。もっとも、第１基体５０の表面に形成された薄膜トランジスタで走査線駆動回路２２やデータ線駆動回路２４を構成してもよい。
【００１４】
走査線駆動回路２２は、複数の走査線１４の各々を順番に選択する。データ線駆動回路２４は、画像データＤに応じたデータ信号を各データ線１６に出力する。走査線駆動回路２２が選択した走査線１４に対応する各画素Ｐの電気光学素子Ｅは、データ信号のレベル（電流値や電圧値）に応じた階調に制御される。したがって、表示部１２には、画像データＤに応じた内容の画像が表示される。
【００１５】
図１に示すように、制御回路基板３０には、記憶回路３２と制御回路３４と画像処理回路３６とが実装される。記憶回路３２は、画像データＤを記憶する手段である。本形態の記憶回路３２には、静止画像ＧSおよび動画像ＧDの画像データＤが格納される。動画像ＧDは、複数の画像（静止画像）を時系列的に配列した画像であり、静止画像ＧSは、態様が経時的に変化しない画像である。
【００１６】
制御回路３４は、クロック信号や各種の制御信号の供給によって走査線駆動回路２２やデータ線駆動回路２４の動作のタイミングを制御するほか、記憶回路３２から画像データＤを読み出して画像処理回路３６に出力する。画像処理回路３６は、画像データＤに対して各種の処理（例えばガンマ補正）を実行したうえでデータ線駆動回路２４に出力する。
【００１７】
図２に示すように、表示部１２は、第１領域Ａ1と第２領域Ａ2とに区分される。第１領域Ａ1は、動画像ＧDの表示に使用される領域である。第２領域Ａ2は、静止画像ＧSの表示に使用される領域である。すなわち、駆動回路２０は、第１領域Ａ1内の各画素Ｐを動画像ＧDの画像データＤに基づいて駆動するとともに第２領域Ａ2内の各画素Ｐを静止画像ＧSの画像データＤに基づいて駆動する。
【００１８】
図３に示すように、本形態の表示部１２には、移動体のエンジンの回転数を示すタコメータ（回転速度計）４２と現在の時刻４４とが表示される。タコメータ４２は、複数の数値（回転数）が円周に沿って配列された目盛４２１と、目盛４２１のうち現在の回転数に対応した位置を指示する指針４２３とを含む。目盛４２１は、電気光学装置１００の電源が投入されている期間内に固定的に表示される静止画像ＧSである。一方、指針４２３や時刻４４は経時的に刻々と変化する動画像ＧDである。したがって、目盛４２１は第２領域Ａ2内に表示され、指針４２３や時刻４４は第１領域Ａ1内に表示される。
【００１９】
また、利用者によって経路の案内（ナビゲーション）が指示されると、図４に示すように、指針４２３や時刻４４の表示に代えて、今後に進行すべき進路４６（図４では右折の指示）が表示される。進路４６は、経時的に変化する動画像ＧDであるから第１領域Ａ1内に表示される。なお、目盛４２１は、進路４６の表示中にも第２領域Ａ2に継続的に表示される。
【００２０】
次に、図５は、表示パネル１０の具体的な構造を示す断面図である。同図に示すように、各画素Ｐ（ＰR，ＰG，ＰB）は複数の表示色（赤色，緑色，青色）の何れかに対応した波長の光を放射する。すなわち、画素ＰRは赤色光（Ｒ）を放射し、画素ＰGは緑色光（Ｇ）を放射し、画素ＰBは青色光（Ｂ）を放射する。
【００２１】
第１基体５０と第２基体６０とは光透過性の接着層７０を挟んで接合される。第１基体５０は、平板状の基板５１と、各々が別個の画素Ｐに対応する複数の電気光学素子Ｅと、各電気光学素子Ｅを封止する光透過性の封止体５８とを具備する。複数の電気光学素子Ｅは、基板５１のうち第２基体６０との対向面に形成される。本形態の表示パネル１０は、各電気光学素子Ｅからの出射光が基板５１とは反対側に出射するトップエミッション型である。
【００２２】
基板５１のうち第２基体６０に対向する表面には光反射層５２が形成される。光反射層５２は、アルミニウムや銀などの金属やこれらの金属を主成分とする合金を材料として基板５１の全面に形成された光反射性の膜体である。光反射層５２の表面には第１電極５３が画素Ｐごとに相互に離間して形成される。各第１電極５３は、ＩＴＯ（Indium Tin Oxide）やＩＺＯ（Indium Zinc Oxide）など光透過性の導電材料によって形成された電極である。第１電極５３は電気光学素子Ｅの陽極として機能する。
【００２３】
第１電極５３が形成された光反射層５２の表面上には絶縁層（バンク層）５４が形成される。絶縁層５４は、基板５１の表面上の空間を電気光学素子Ｅごとに仕切る形状（格子状）の隔壁である。絶縁層５４の内周面に包囲されて第１電極５３を底面とする空間内には発光層５５が形成される。発光層５５は、有機ＥＬ材料で形成された膜体である。本形態の発光層５５は、電気エネルギが供給されることで白色光を放射する。なお、図５においては発光層５５のみを便宜的に図示したが、実際には正孔注入層や正孔輸送層や電子注入層や電子輸送層が適宜に発光層５５に積層される。
【００２４】
発光層５５および絶縁層５４は半透過反射層（ハーフミラー）５６に覆われる。半透過反射層５６は、その表面に到達した光量の一部を反射させるとともに他の一部を透過させる性質（半透過反射性）の導電膜である。例えばアルミニウムや銀などの金属やこれらの金属を主成分とする合金など光反射性の材料を充分に薄く成膜することで半透過反射層５６が形成される。半透過反射層５６の表面には第２電極５７が形成される。第２電極５７は、ＩＴＯやＩＺＯなど光透過性の導電材料で形成されるとともに電気光学素子Ｅの陰極として機能する。なお、第２電極５７を半透過反射性の導電材料で形成することで半透過反射層５６として機能させる構成も採用される。
【００２５】
電気光学素子Ｅは、光反射層５２と第１電極５３と発光層５５と半透過反射層５６と第２電極５７とを積層した要素である。ひとつの電気光学素子Ｅにおいては、光反射層５２と半透過反射層５６との間で発光層５５からの出射光を共振させる共振器構造が形成される。すなわち、発光層５５からの出射光は光反射層５２と半透過反射層５６との間で往復し、共振器構造の共振波長に相当する成分のみが選択的に多重干渉によって増幅されたうえで半透過反射層５６および第２電極５７を透過して出射する。
【００２６】
各画素Ｐの電気光学素子Ｅの共振波長は、光反射層５２と半透過反射層５６との光学的距離を調整することで、当該画素Ｐの表示色に対応した波長と合致するように設定される。すなわち、画素ＰRの電気光学素子Ｅにおいては、共振波長が赤色光と同等の波長となるように光反射層５２と半透過反射層５６との光学的距離が調整される。同様に、画素ＰGについては緑色光の波長と同等の共振波長に設定され、画素ＰBについては青色光の波長と同等の共振波長に設定される。光反射層５２と半透過反射層５６との光学的距離は、第１電極５３の膜厚に応じて調整される。したがって、図５に示すように、各電気光学素子Ｅにおける第１電極５３の膜厚は、画素Ｐの表示色ごとに相違する。
【００２７】
図５の第２基体６０は、光透過性の基板６１と、基板６１のうち第１基体５０との対向面に形成された遮光層６２および複数の着色層６４とを具備する。遮光層６２は、クロムなどの金属やカーボンブラックが分散された樹脂材料など遮光性の材料によって形成される。遮光層６２のうち各画素Ｐに対応した領域（基板６１に垂直な方向からみて各電気光学素子Ｅに重なり合う領域）には、遮光層６２を厚さ方向に貫通する開口部６２２が形成される。すなわち、遮光層６２は、各電気光学素子Ｅの間隙を遮光するように格子状に形成される。
【００２８】
複数の着色層６４の各々は、画素Ｐの複数の表示色（赤色，緑色，青色）の何れかに着色された光透過性の膜体であって遮光層６２の各開口部６２２の内側に形成される。各着色層６４は別個の画素Ｐに対応する。各画素Ｐに対応した着色層６４は、当該画素Ｐの表示色に対応する波長（さらには当該画素Ｐの電気光学素子Ｅにおける共振波長）の色光を選択的に透過させる。図６の特性Ｆ1は、緑色の着色層６４に白色光を照射したときの透過光の波長と強度との関係を示すグラフである。図６に示すように、画素ＰGに対応した着色層６４は、緑色に対応した波長（550nm）を含む所定の範囲の入射光を透過させるとともにそれ以外の波長の入射光を吸収する。電気光学素子Ｅ（第２電極５７）からの出射光は、当該電気光学素子Ｅに対応した開口部６２２の内側にて着色層６４を透過したうえで基板６１から外部に出射する。すなわち、開口部６２２は、発光層５５からの放射光が実際に出射する領域（光出射領域）を画定する手段である。
【００２９】
ところで、太陽光や照明光などの外光が基板６１を透過して電気光学素子Ｅに入射する場合がある。電気光学素子Ｅに入射した外光が半透過反射層５６や光反射層５２の表面にて反射することで基板６１を透過して外部に出射すると、観察者が視認する画像のコントラストが低下するという問題がある。そこで、本形態においては、基板６１から入射した外光のうち第２電極５７と半透過反射層５６との界面にて反射した成分と光反射層５２にて反射した成分とが相互に干渉して弱め合うように、半透過反射層５６と光反射層５２との間隔が設定されている。図６の特性Ｆ2は、基板６１に入射した白色光のうち画像ＰGの半透過反射層５６や光反射層５２で反射されたうえで基板６１側から出射する成分の波長と強度との関係を示すグラフである。同図に示すように、画素ＰGの半透過反射層５６と光反射層５２との距離は、外光の反射光のうち緑色に対応した成分が減衰するように設定される。同様に、画素ＰRにて反射した外光は赤色の成分が減衰し、画素ＰBにて反射した外光は青色の成分が減衰する。
【００３０】
ただし、外光の反射光が干渉によって減衰するとは言っても、完全に外光の反射光を排除することは困難である。例えば、図６にて斜線が付された領域の成分は、依然として基板６１から出射して観察者に知覚される。したがって、第１領域Ａ1の各画素Ｐにおける外光の反射が第２領域Ａ2の画像（静止画像ＧS）のコントラストを低下させる原因となる。以上の事情を考慮して、本形態においては、第１領域Ａ1内の各画素Ｐの開口率を低下させて外光の反射を抑制することで、第２領域Ａ2に表示される画像のコントラストを相対的に向上させる。
【００３１】
図７は、遮光層６２のうち第２領域Ａ2内に位置する部分の形状を示す平面図であり、図８は、遮光層６２のうち第１領域Ａ1内に位置する部分の形状を示す平面図である。図７および図８には、発光層５５の外形（絶縁層５４の内周縁）が破線で併記されている。発光層５５の面積は第１領域Ａ1と第２領域Ａ2とで同等である。図７および図８に示すように、第１領域Ａ1内の各画素Ｐに対応する開口部６２２の面積は、第２領域Ａ2内の各画素Ｐに対応する開口部６２２の面積よりも小さい。すなわち、第２領域Ａ2内の開口部６２２は発光層５５（絶縁層５４の内側）と略同面積であるのに対し、第１領域Ａ1内の開口部６２２は、発光層５５よりも小面積である。
【００３２】
いま、画素Ｐの単位となる所定の面積Ｓ0に占めるひとつの開口部６２２の面積Ｓaの割合を開口率α（α＝（Ｓa／Ｓ0）×100）と定義すると、第１領域Ａ1内の開口率α1は第２領域Ａ2内の開口率α2よりも低い。例えば、第２領域Ａ2内の開口率α2が６０％であるのに対し、第１領域Ａ1内の開口率α1は１５％である。
【００３３】
図９は、外光の強度と第２領域Ａ2内の画像（静止画像ＧS）のコントラストとの関係を示すグラフである。同図においては、第１領域Ａ1の開口率α1を第２領域Ａ2と同等の６０％とした場合の特性が、第１領域Ａ1の開口率α1を１５％とした本形態の特性との対比のために図示されている。また、図９の縦軸に示されたコントラストは、第１領域Ａ1に画像を表示しない場合（第１領域Ａ1の総ての電気光学素子Ｅを消灯した場合）の第２領域Ａ2の画像のコントラストである。同図に示すように、第１領域Ａ1内の画素Ｐにおける外光の反射光の光量は外光の強度に応じて増大するから、外光の強度が増加するほど第２領域Ａ2の画像のコントラストは低下する。
【００３４】
図９に示すように、外光の強度が1000ルクス（lx）であるとすれば、第１領域Ａ1の開口率α1を６０％とした場合の第２領域Ａ2内の画像のコントラストは、第１領域Ａ1内の各画素Ｐにおける外光の反射に起因して「25」まで低下する。これに対し、本形態のように第１領域Ａ1の開口率α1を１５％に抑制した構成においては、外光の強度が1000ルクス（lx）であっても第２領域Ａ2内の画像のコントラストは「100」に維持される。一方、第２領域Ａ2については充分な開口率α2（６０％）が維持されるから、第２領域Ａ2内の各画素Ｐについては光利用効率を高い水準に維持することが可能である。すなわち、本形態によれば、画像のコントラストの低下と光利用効率の低下とを抑制することができる。
【００３５】
ところで、開口率α2が６０％であるのに対して開口率α1は１５％であるから、第１領域Ａ1内の各画素Ｐと第２領域Ａ2内の各画素Ｐとで同等の輝度を得るためには、第１領域Ａ1内の各画素Ｐの発光層５５に供給される電流を、第２領域Ａ2内の各画素Ｐの発光層５５に供給される電流の４倍に設定する必要がある。一方、発光層５５は、これに供給される電流に応じた速度で劣化が進行する。したがって、第１領域Ａ1と第２領域Ａ2とに同じ時間にわたって同じ明度の画像を表示するとすれば、第１領域Ａ1の各発光層５５は第２領域Ａ2の各発光層５５と比較して劣化が迅速に進行して寿命が短くなる。しかし、本形態における第１領域Ａ1は動画像が表示される領域であり、静止画像が固定的に表示される第２領域Ａ2と比較すると画像の表示の時間は充分に短い。したがって、開口率α1と開口率α2とが相違するとは言っても、第１領域Ａ1と第２領域Ａ2とで発光層５５の劣化の相違は抑制される。
【００３６】
＜Ｂ：第２実施形態＞
次に、本発明の第２実施形態について説明する。なお、以下の各形態において作用や機能が第１実施形態と共通する要素については、以上と同じ符号を付して各々の詳細な説明を適宜に省略する。
【００３７】
基板６１に入射した外光のうち半透過反射層５６や光反射層５２にて反射して基板６１から出射する成分の割合（以下「外光反射率」という）は画素Ｐの表示色ごとに相違する。そこで、図１０に示すように、遮光層６２のうち第１領域Ａ1内に位置する部分においては、各画素Ｐの開口率α1が表示色ごとに相違するように各開口部６２２の寸法が選定される。さらに詳述すると、外光反射率が高い画素Ｐほど開口率α1が低い数値に設定される。換言すると、外光反射率が高い画素Ｐほど開口部６２２が小さい面積とされる。
【００３８】
図１０においては、画素ＰRの外光反射率が画素ＰGの外光反射率よりも高く、画素ＰGの外光反射率が画素ＰBの外光反射率よりも高い場合が想定されている。したがって、画素ＰRの開口率α1は画素ＰGの開口率α1よりも低く、画素ＰGの開口率α1は画素ＰBの開口率α1よりも低い。すなわち、画素ＰRの開口部６２２は画素ＰGの開口部６２２よりも面積が小さく、画素ＰGの開口部６２２は画素ＰBの開口部６２２よりも面積が小さい。
【００３９】
以上の構成においては、第１領域Ａ1のうち外光反射率が高い画素Ｐについては開口率α1を低く設定することで第２領域Ａ2のコントラストの低下が有効に抑制される一方、外光反射率が低い画素Ｐについては開口率α1を高く設定することで輝度を確保することが可能となる。すなわち、本形態においては、反射光に起因したコントラストの低下と光利用効率の低下とを抑制するという所期の効果が特に顕著となる。
【００４０】
＜Ｃ：第３実施形態＞
次に、本発明の第３実施形態について説明する。図１１は、遮光層６２のうち第１領域Ａ1内に位置する部分の形状を示す平面図である。なお、遮光層６２のうち第２領域Ａ2内に位置する部分の形状は図７と同様である。
【００４１】
第１実施形態においては、各画素Ｐにおける発光層５５の面積が第１領域Ａ1と第２領域Ａ2とで共通する場合を例示した。これに対し、本形態においては、各画素Ｐにおける発光層５５の面積が第１領域Ａ1と第２領域Ａ2とで開口率αに応じて相違する。すなわち、図７と図１１との対比から理解されるように、第１領域Ａ1内の各発光層５５は第２領域Ａ2内の各発光層５５と比較して面積が小さい。
【００４２】
以上の構成によれば、第１領域Ａ1と第２領域Ａ2とで発光層５５の面積が同等である構成と比較して、第１領域Ａ1内の各画素Ｐにおいて電気光学素子Ｅからの出射光のうち遮光層６２で遮光される成分の割合が低減される。すなわち、第１領域Ａ1における光利用効率を向上することが可能である。
【００４３】
なお、第１領域Ａ1内で各画素Ｐの開口率α1が同等である第１実施形態を基礎として本形態を説明したが、第１領域Ａ1内で画素Ｐの表示色ごとに開口率α1が相違する第２実施形態にも本発明を適用することが可能である。すなわち、第１領域Ａ1内で各発光層５５の面積を画素Ｐごとに相違させてもよい。さらに詳述すると、各画素Ｐの発光層５５は、外光反射率が高い画素Ｐ（すなわち開口率α1が低い画素Ｐ）ほど小さい面積とされる。
【００４４】
＜Ｄ：変形例＞
以上の各形態には様々な変形を加えることができる。具体的な変形の態様を例示すれば以下の通りである。なお、以下の各態様を適宜に組み合わせてもよい。
【００４５】
（１）変形例１  
以上の各形態においては、第１領域Ａ1の開口率α1を開口率α2よりも低く設定することで第２領域Ａ2内の画像（静止画像ＧS）のコントラストを確保する構成を例示したが、第１領域Ａ1内の画像（動画像ＧD）のコントラストを第２領域Ａ2内よりも優先させる場合には、第２領域Ａ2の開口率α2を第１領域Ａ1の開口率α1よりも低く設定した構成が採用される。また、以上の各形態において第１領域Ａ1について説明した構成は第２領域Ａ2についても全く同様に適用される。例えば、第２実施形態のように第２領域Ａ2内の各画素Ｐの開口率α2を外光反射率に応じて相違させてもよい。
【００４６】
（２）変形例２  
以上の各形態においては、各画素Ｐにおいて実際に光の出射する領域（光出射領域）が遮光層６２の開口部６２２によって画定される構成を例示したが、光出射領域を画定するための構成は適宜に変更される。例えば、第３実施形態のように第１領域Ａ1と第２領域Ａ2とで発光層５５の面積が相違する構成においては、遮光層６２が省略された場合であっても、発光層５５の存在する領域を光出射領域として把握すれば、光出射領域の面積（開口率）を第１領域Ａ1と第２領域Ａ2とで相違させることが可能である。
【００４７】
（３）変形例３  
電気光学素子Ｅの具体的な形態は適宜に変更される。例えば、光反射層５２が画素Ｐごとに相互に離間して形成された構成や、発光層５５が複数の画素Ｐにわたって連続する構成も採用される。また、以上の各形態においては発光層５５が白色光を放射する構成を例示したが、各画素Ｐの発光層５５が当該画素Ｐの表示色に相当する波長の光を放射するように、発光層５５を画素Ｐの表示色ごとに別個の発光材料で形成してもよい。発光層５５からの出射光を共振させる構造は本発明において必須ではない。また、以上の各形態はボトムエミッション型の表示パネル１０にも同様に適用される。
【００４８】
（４）変形例４  
以上の形態においては表示部１２が第１領域Ａ1と第２領域Ａ2とに区分された構成を例示したが、表示部１２がさらに多数の領域に区分された構成も採用される。表示部１２を３個以上の領域に区分した場合であっても、各領域に表示される画像の特性（時間長）に応じて開口率（光出射領域の面積）が相違する構成は以上の各形態と同様である。
【００４９】
（５）変形例５  
有機発光ダイオード素子は電気光学素子Ｅの例示に過ぎない。本発明に適用される電気光学素子Ｅについて、自身が発光する自発光型と外光の透過率を変化させる非発光型（例えば液晶素子）との区別や、電流の供給によって駆動される電流駆動型と電圧の印加によって駆動される電圧駆動型との区別は不問である。例えば、無機ＥＬ素子、フィールド・エミッション（ＦＥ）素子、表面導電型エミッション（ＳＥ：Surface-conduction Electron-emitter）素子、弾道電子放出（ＢＳ：Ballistic electron Surface emitting）素子、ＬＥＤ（Light Emitting Diode）素子、液晶素子、電気泳動素子、エレクトロクロミック素子など様々な電気光学素子を本発明に利用することができる。すなわち、本発明における電気光学層は、電気エネルギの供給（例えば電流の供給や電圧の印加）によって光度や透過率が変動する部分であればよい。
【００５０】
＜Ｅ：応用例＞
以上の各形態においては電気光学装置１００をインストルメントパネルに利用した構成を例示したが、電気光学装置１００は様々な電子機器に好適に使用される。図１２から図１４には、以上に例示した電気光学装置１００を表示装置として採用した電子機器の形態が図示されている。
【００５１】
図１２は、電気光学装置１００を採用した可搬型のパーソナルコンピュータの構成を示す斜視図である。パーソナルコンピュータ２０００は、各種の画像を表示する電気光学装置１００と、電源スイッチ２００１やキーボード２００２が設置された本体部２０１０とを具備する。電気光学装置１００は有機発光ダイオード素子を電気光学素子Ｅとして使用しているので、視野角が広く見易い画面を表示できる。
【００５２】
図１３は、電気光学装置１００を適用した携帯電話機の構成を示す斜視図である。携帯電話機３０００は、複数の操作ボタン３００１およびスクロールボタン３００２と、各種の画像を表示する電気光学装置１００とを備える。スクロールボタン３００２を操作することによって、電気光学装置１００に表示される画面がスクロールされる。
【００５３】
図１４は、電気光学装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する電気光学装置１００とを備える。電源スイッチ４００２を操作すると、住所録やスケジュール帳といった様々な情報が電気光学装置１００に表示される。
【００５４】
なお、本発明に係る電気光学装置が適用される電子機器としては、図１２から図１４に示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００５５】
【図１】第１実施形態に係る電気光学装置の電気的な構成を示すブロック図である。
【図２】電気光学装置の構成を示す正面図および側面図である。
【図３】表示部における表示例を示す概念図である。
【図４】表示部における表示例を示す概念図である。
【図５】表示パネルの断面図である。
【図６】ひとつの着色層を通過する光の強度を示すグラフである。
【図７】遮光層のうち第２領域内の部分の形状を示す平面図である。
【図８】遮光層のうち第１領域内の部分の形状を示す平面図である。
【図９】第１領域内の開口率と第１領域内の画像のコントラストとの関係を示すグラフである。
【図１０】第２実施形態に係る遮光層のうち第１領域内の部分の形状を示す平面図である。
【図１１】第３実施形態に係る遮光層のうち第１領域内の部分の形状を示す平面図である。
【図１２】本発明に係る電子機器の具体的な形態を示す斜視図である。
【図１３】本発明に係る電子機器の具体的な形態を示す斜視図である。
【図１４】本発明に係る電子機器の具体的な形態を示す斜視図である。
【符号の説明】
【００５６】
１００……電気光学装置、１０……表示パネル、２０……駆動回路、２２……走査線駆動回路、２４……データ線駆動回路、３０……制御回路基板、３２……記憶回路、３４……制御回路、３６……画像処理回路、１２……表示部、Ｐ……画素、Ｅ……電気光学素子、Ａ1……第１領域、Ａ2……第２領域、５０……第１基体、５１……基板、５２……光反射層、５３……第１電極、５４……絶縁層、５５……発光層、５６……半透過反射層、５７……第２電極、５８……封止体、６０……第２基体、６１……基板、６２……遮光層、６２２……開口部、６４……着色層。
【図１】
2008170479.tif 000003
【図２】
2008170479.tif 000004
【図３】
2008170479.tif 000005
【図４】
2008170479.tif 000006
【図５】
2008170479.tif 000007
【図６】
2008170479.tif 000008
【図７】
2008170479.tif 000009
【図８】
2008170479.tif 000010
【図９】
2008170479.tif 000011
【図１０】
2008170479.tif 000012
【図１１】
2008170479.tif 000013
【図１２】
2008170479.tif 000014
【図１３】
2008170479.tif 000015
【図１４】
2008170479.tif 000016